(57)【要約】      （修正有）【課題】ディスプレイ装置の提供。【解決手段】ベース１００と、ベース１００から起立延長されたスタンド２００と、スタンド２００に支持されるようにスタンド２００の一端部に分離可能に装着されたカバーフレーム３１０、カバーフレーム３１０の前面に組み込まれ、映像を表示するディスプレイ部３４０、及びカバーフレーム３１０に設置され、複数の音声チャンネルに対応して音を出力する複数のスピーカーを有するディスプレイ本体３００と、を備え、複数のスピーカーのうちの第１スピーカー３６１は、カバーフレーム３１０の四方向の縁においてディスプレイ部３４０の映像表示面と直交する４つの側面のうち、ベース１００に相対する下側面の中央領域に、ベース１００に向かって突出するように設置されている。【選択図】図５
2013045103.tif 000002
【特許請求の範囲】
【請求項１】
ディスプレイ装置において、
ベースと、
前記ベースから起立延長されたスタンドと、
前記スタンドに支持されるように前記スタンドの一端部に分離可能に装着されたカバーフレームと、前記カバーフレームの前面に組み込まれ、映像を表示するディスプレイ部と、前記カバーフレームに設置され、複数の音声チャンネルに対応して音を出力する複数のスピーカーとを含むディスプレイ本体と、
を備え、
前記複数のスピーカーのうちの第１スピーカーは、前記カバーフレームの四方向の縁において前記ディスプレイ部の映像表示面と直交する４つの側面のうち、前記ベースに相対する下側面の中央領域に、前記ベースに向かって突出するように設置されたことを特徴とする、ディスプレイ装置。
【請求項２】
前記第１スピーカーは、人間の音声の周波数帯域に対応する中高音を出力するスピーカーであることを特徴とする、請求項１に記載のディスプレイ装置。
【請求項３】
前記第１スピーカーは、前記カバーフレームが前記スタンドから分離され、実質的に垂直な設置面に据え付けられた場合に、前記カバーフレームの前記下側面において、前記設置面への前記カバーフレームの据え付けを干渉しない位置に設置されていることを特徴とする、請求項１に記載のディスプレイ装置。
【請求項４】
前記第１スピーカーが設置される前記下側面の前記中央領域は、前記カバーフレームが前記スタンドに装着された場合に、前記カバーフレームの下側の縁において前記スタンドが位置する領域であることを特徴とする、請求項３に記載のディスプレイ装置。
【請求項５】
前記第１スピーカーは、前記カバーフレームと一体型のものであることを特徴とする、請求項１に記載のディスプレイ装置。
【請求項６】
前記第１スピーカーは、前記カバーフレームに分離可能に装着されるものであることを特徴とする、請求項１に記載のディスプレイ装置。
【請求項７】
前記第１スピーカーは、前記カバーフレームにスクリューにより締結されることを特徴とする、請求項６に記載のディスプレイ装置。
【請求項８】
前記第１スピーカー及び前記カバーフレームは、相互対応するように形成されたフックの噛み合いによって結合することを特徴とする、請求項６に記載のディスプレイ装置。
【請求項９】
前記複数のスピーカーは、
音の中高音帯域に対応するセンター（ｃｅｎｔｅｒ）スピーカーと、
音の低音帯域に対応するウーハー（ｗｏｏｆｅｒ）スピーカーと、
音の高音帯域に対応する少なくとも一つ以上のツイーター（ｔｗｅｅｔｅｒ）スピーカーと、を含み、
前記第１スピーカーは、前記センタースピーカーであることを特徴とする、請求項１に記載のディスプレイ装置。
【請求項１０】
前記ウーハースピーカーは、前記カバーフレームの後面に設置されることを特徴とする、請求項９に記載のディスプレイ装置。
【請求項１１】
前記少なくとも一つ以上のツイータースピーカーは、前記カバーフレームの前記四方向の縁のうち左右側の縁領域の少なくとも一方の領域に設置されることを特徴とする、請求項９に記載のディスプレイ装置。
【発明の詳細な説明】
【技術分野】
【０００１】
本発明は、外部から受信した映像信号に基づいて映像表示及び音声出力を行うディスプレイ装置に係り、特に、出力される音声の明瞭性を向上させる構造のディスプレイ装置に関する。
【背景技術】
【０００２】
ディスプレイ装置は、外部から受信したりまたは自体で再生する映像信号を処理して、自体のディスプレイパネル上に映像として表示する装置で、例えば、コンピュータモニターまたはＴＶなどがある。一般的な映像コンテンツを含む映像信号は、映像データの他、当該映像データに対応する音声データも含むことができる。そのため、ディスプレイ装置は、受信される映像信号を映像データと音声データとに区別して処理し、処理される音声データに基づいた音声をスピーカーから出力する。
【０００３】
このような音声データ／音声信号は、スピーカーから出力される音声を使用者が３次元的に認知できるように複数のチャンネルに対応しており、ディスプレイ装置は、このような複数チャンネルの音声信号を、各チャンネルに対応するように設置された複数のスピーカーから出力する。
【０００４】
ディスプレイ装置をＴＶとし、放送番組を表示する場合に、一般的な放送番組の映像は人を中心とする場合が多い。すなわち、ディスプレイ装置のスピーカーから出力される音は人の音声である場合が多いため、人の音声を使用者が明確で明瞭に認知できるようにスピーカーを設置することが好ましい。しかしながら、ディスプレイ装置の薄型化、軽量化、デザイン中心のトレンドに伴ってスピーカーを小型化すると、スピーカー自体の音質または音圧が劣化するか、または、ディスプレイ装置にスピーカーを設置する位置によって音質がより劣化することがある。
【発明の概要】
【発明が解決しようとする課題】
【０００５】
ディスプレイ装置から出力される音声の明瞭性を簡単な構造で向上させる。
【課題を解決するための手段】
【０００６】
本発明の実施例に係るディスプレイ装置は、ベースと、前記ベースから起立延長されたスタンドと、前記スタンドに支持されるように前記スタンドの一端部に分離可能に装着されたカバーフレーム、前記カバーフレームの前面に組み込まれ、映像を表示するディスプレイ部、及び前記カバーフレームに設置され、複数の音声チャンネルに対応して音を出力する複数のスピーカーを有するディスプレイ本体と、を備え、前記複数のスピーカーのうちの第１スピーカーは、前記カバーフレームの四方向の縁において前記ディスプレイ部の映像表示面と直交する４つの側面のうち、前記ベースに相対する下側面の中央領域に、前記ベースに向かって突出するように設置されたことを特徴とする。
【０００７】
ここで、前記第１スピーカーは、人間の音声の周波数帯域に対応する中高音を出力するスピーカーでよい。
【０００８】
また、前記第１スピーカーは、前記カバーフレームが前記スタンドから分離され、実質的に垂直な設置面に据え付けられた場合に、前記カバーフレームの前記下側面において、前記設置面への前記カバーフレームの据え付けを干渉しない位置に設置されているとよい。
【０００９】
ここで、前記第１スピーカーが設置される前記下側面の前記中央領域は、前記カバーフレームが前記スタンドに装着された場合に、前記カバーフレームの下側の縁において前記スタンドが位置する領域でよい。
【００１０】
また、前記第１スピーカーは、前記カバーフレームと一体型のものでよい。
【００１１】
前記第１スピーカーは、前記カバーフレームに分離可能に装着されるものでもよい。
【００１２】
ここで、前記第１スピーカーは、前記カバーフレームにスクリューにより締結されるとよい。
【００１３】
前記第１スピーカー及び前記カバーフレームは、相互対応するように形成されたフックの噛み合いによって結合されてもよい。
【００１４】
また、前記複数のスピーカーは、音の中高音帯域に対応するセンタースピーカーと、音の低音帯域に対応するウーハースピーカーと、音の高音帯域に対応する少なくとも一つ以上のツイータースピーカーと、を含み、前記第１スピーカーは、前記センタースピーカーでよい。
【００１５】
ここで、前記ウーハースピーカーは、前記カバーフレームの後面に設置されるとよい。
【００１６】
前記少なくとも一つ以上のツイータースピーカーは、前記カバーフレームの前記四方向の縁のうち左右側の縁領域の少なくとも一方の領域に設置されるとよい。
【発明の効果】
【００１７】
出力される音声の明瞭性が向上された構造のディスプレイ装置が提供される。
【図面の簡単な説明】
【００１８】
【図１】本発明の実施例に係るディスプレイ装置の斜視図である。
【図２】図１に示すディスプレイ装置のディスプレイ本体が壁面に据え付けられる様子を示す斜視図である。
【図３】図１に示すディスプレイ装置のディスプレイ本体の構成ブロック図である。
【図４】図１のディスプレイ装置で処理される音声信号に対する音像内のチャンネル配置を例示する概念図である。
【図５】図１のディスプレイ装置において各スピーカーの設置位置を示す正面図である。
【図６】図１のディスプレイ装置においてディスプレイ本体に第１スピーカーを結合させる構造の一例を示す要部斜視図である。
【図７】図１のディスプレイ装置においてディスプレイ本体に第１スピーカーを結合させる構造の他の例を示す要部斜視図である。
【発明を実施するための形態】
【００１９】
以下、添付の図面を参照しつつ、本発明について詳細に説明する。以下の実施例では、本発明の思想と直接的に関連している構成についてのみ説明し、その他の構成については説明を省略する。ただし、このように説明を省略した構成が、本発明の思想を適用した装置またはシステムの具現においても省かれるということを意味するわけではない。
【００２０】
図１は、本発明の実施例に係るディスプレイ装置１の斜視図である。図１に示すように、本実施例に係るディスプレイ装置１は、所定の設置面３上に着座されるベース１００と、ベース１００から起立延長されたスタンド２００と、スタンド２００に支持されており、映像信号に基づく映像を表示するディスプレイ本体３００と、を備える。
【００２１】
まず、図面における各方向の意味は、次の通りである。Ｘ、Ｙ、Ｚ方向は相互直交する方向で、同図で、Ｘ方向は、ディスプレイ本体３００の横幅方向、Ｙ方向は、ディスプレイ本体３００のディスプレイ部３４０の映像が使用者に表示される方向、Ｚ方向は、ディスプレイ本体３００の縦幅方向を表している。映像が表示されるディスプレイ部３４０の映像表示面は、Ｘ−Ｚ平面に平行である。
【００２２】
ここで、Ｘ、Ｙ、Ｚ方向の反対方向はそれぞれ−Ｘ、−Ｙ、−Ｚ方向とし、Ｘ−Ｚ平面は、Ｘ方向の軸及びＺ方向の軸により形成される平面を意味する。以下では、このような方向の定義を用いて各図面及び実施例を説明する。
【００２３】
ベース１００は、多角形、円形または楕円形などのような様々な形状及び所定の厚さを有するプレートとする。ベース１００は、Ｘ−Ｙ平面に実質的に平行な設置面３、例えば、重力方向に実質的に直交する地面または机の上に着座する。ベース１００は、設置面３に対してディスプレイ本体３００が起立した状態を保持できるように、ディスプレイ本体３００の大きさ及び重量を考慮した様々な形状及び大きさとすることができる。
【００２４】
スタンド２００は、ベース１００からＺ方向に延長されている。ここで、ベース１００に対するスタンド２００の延長方向は、Ｚ方向軸線に平行であってもよく、Ｚ方向軸線に対して所定角度を有するように傾斜していてもよい。スタンド２００の一端部はベース１００に取り付けられ、スタンド２００の他端部はディスプレイ本体３００に結合される。または、スタンド２００はベース１００と一体に形成されてもよい。
【００２５】
スタンド２００をベース１００及びディスプレイ本体３００に結合させる手段には様々なものがあり、例えば、スクリュー（図示せず）、リベット（図示せず）などによって締結してもよく、または、掛合構造をスタンド２００及びベース１００間、またはスタンド２００及びディスプレイ本体３００間に形成して相互噛み合うようにしてもよい。
【００２６】
ディスプレイ本体３００はスタンド２００に結合されることで、ベース１００及びスタンド２００により設置面３上に起立して支持される。ディスプレイ本体３００は、外部から受信する映像信号に基づいて映像を表示し、音を出力する。
【００２７】
ディスプレイ本体３００は、ディスプレイ本体３００の筐体となり、スタンド２００に結合及び支持されるカバーフレーム３１０と、カバーフレーム３１０に収容され、映像を表示するディスプレイ部３４０と、カバーフレーム３１０に設置され、音を出力するスピーカー３６０と、を備える。
【００２８】
カバーフレーム３１０は、ディスプレイ本体３００の諸般構成が内側に組み込まれる。同図のカバーフレーム３１０において、Ｙ方向を向く板面を前面、−Ｙ方向を向く板面を後面とすれば、カバーフレーム３１０は、前面にディスプレイ部３４０の映像表示面が露出されるように開口部を有し、後面にスタンド２００が結合される結合構造を有する。この結合構造については後述する。
【００２９】
スピーカー３６０としては、複数の音声チャンネルにそれぞれ対応する音を出力するように複数のスピーカー３６１，３６２，３６３が設けられている。ここで、各スピーカー３６１，３６２，３６３は、各音声チャンネルに対する使用者の立体的な認知特性を考慮して、カバーフレーム３１０に相互離れて配置されている。音声チャンネル及びスピーカー３６０の詳細については後述する。
【００３０】
このような構造下で、例えば、ディスプレイ本体３００に放送信号が受信されると、ディスプレイ本体３００では放送信号から映像信号及び音声信号を抽出し、映像信号に対応する映像表示及び音声信号に対応する音声出力を共に行う。
【００３１】
上述したように、本実施例に係るディスプレイ本体３００はスタンド２００に結合することで設置面３上に起立して支持される。しかし、ディスプレイ本体３００は、水平な設置面３に限定されず、この設置面３に対して実質的に直立する設置面、例えば、壁面上に据え付けられてもよい。
【００３２】
図２は、ディスプレイ本体３００が鉛直の設置面５上に据え付けられる様子を示す斜視図である。図２に示すように、ディスプレイ本体３００はスタンド２００に分離可能に結合される。ここで、ディスプレイ本体３００及びスタンド２００間の結合構造は様々にすることができ、例えば、スクリュー５１０により相互締結される構造とすることができる。
【００３３】
ディスプレイ本体３００がスタンド２００に結合されて設置面３上に支持されている状態を初期状態という。この初期状態でディスプレイ本体３００を壁面のような鉛直の設置面５に据え付けようとする場合に、使用者は、スクリュー５１０をディスプレイ本体３００及びスタンド２００から取り外すことで、ディスプレイ本体３００をスタンド２００から分離する。
【００３４】
続いて、分離されたディスプレイ本体３００を設置面５に据え付けることができる。この時、設置面５上にはディスプレイ本体３００が据え付けられる据え付け用のフレーム（図示せず）が取り付けられ、この据え付け用のフレーム（図示せず）にディスプレイ本体３００をスクリュー（図示せず）で締結する方式でディスプレイ本体３００を設置面５に据え付けることができる。ただし、これは一例示に過ぎず、様々な据え付け構造によりディスプレイ本体３００を設置面５に据え付けることができる。
【００３５】
各スピーカー３６１，３６２，３６３はカバーフレーム３１０に設置されているため、ディスプレイ本体３００が設置面５に据え付けられることで、スピーカー３６１，３６２，３６３もディスプレイ部３４０と共に設置面５上に位置する。
【００３６】
以下、ディスプレイ本体３００の具体的な構成について図３を参照して説明する。図３は、ディスプレイ本体３００の構成ブロック図である。
【００３７】
図３に示すように、本実施例に係るディスプレイ本体３００は、外部から所定の信号を受信する信号受信部３２０と、信号受信部３２０に受信される信号に含まれている映像信号を処理する映像処理部３３０と、映像処理部３３０により処理される映像信号に基づいて映像を表示するディスプレイ部３４０と、信号受信部３２０に受信される信号に含まれている音声信号を処理する音声処理部３５０と、音声処理部３５０により処理される音声信号を音声として出力するスピーカー３６０と、を備える。
【００３８】
ここで、信号受信部３２０、映像処理部３３０及び音声処理部３５０は、カバーフレーム３１０内に組み込まれる映像処理盤（図示せず）上に具現することができる。
【００３９】
信号受信部３２０は、限定されない様々な供給源（図示せず）から、放送信号のように映像信号及び音声信号を共に含む信号を受信したり、映像信号及び音声信号のいずれか一つを受信したりする。信号受信部３２０は、放送局から送出されるＲＦ（ｒａｄｉｏ  ｆｒｅｑｕｅｎｃｙ）信号を無線で受信したり、コンポジット（ｃｏｍｐｏｓｉｔｅ）ビデオ、コンポーネント（ｃｏｍｐｏｎｅｎｔ）ビデオ、スーパービデオ（ｓｕｐｅｒ  ｖｉｄｅｏ）、ＳＣＡＲＴ、ＨＤＭＩ（ｈｉｇｈ  ｄｅｆｉｎｉｔｉｏｎ  ｍｕｌｔｉｍｅｄｉａ  ｉｎｔｅｒｆａｃｅ）規格などによる信号を有線で受信する。または、信号受信部３２０は、サーバー（図示せず）に接続して映像データのデータパケット（ｄａｔａ  ｐａｃｋｅｔ）を受信することもできる。
【００４０】
信号受信部３２０が放送信号を受信する場合に、信号受信部３２０は、受信される放送信号を映像信号及び音声信号にチューニングし、映像信号は映像処理部３３０に、音声信号は音声処理部３５０にそれぞれ伝達する。
【００４１】
映像処理部３３０は、信号受信部３２０から伝達される映像信号に、既に設定された様々な映像処理プロセスを行い、該映像信号をディスプレイ部３４０に出力することで、ディスプレイ部３４０の映像表示面に映像が表示されるようにする。
【００４２】
映像処理部３３０が行う映像処理プロセスの種類は、特に限定されないが、例えば、様々な映像フォーマットに対応するデコーディング（ｄｅｃｏｄｉｎｇ）、デインターレーシング（ｄｅ−ｉｎｔｅｒｌａｃｉｎｇ）、フレームリフレッシュレート（ｆｒａｍｅ  ｒｅｆｒｅｓｈ  ｒａｔｅ）変換、スケーリング（ｓｃａｌｉｎｇ）、映像画質改善のためのノイズ低減（ｎｏｉｓｅ  ｒｅｄｕｃｔｉｏｎ）処理、ディテール強化（ｄｅｔａｉｌ  ｅｎｈａｎｃｅｍｅｎｔ）等の様々な処理がある。
【００４３】
ディスプレイ部３４０は、映像処理部３３０から出力される映像信号に基づく映像を表示する。このようなディスプレイ部３４０は、特に限定されず、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、表面伝導型電子銃（ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）などの様々なディスプレイパネルを用いることができる。
【００４４】
ディスプレイ部３４０に液晶ディスプレイパネル（図示せず）を用いる場合に、このパネルに光を供給するバックライトユニット（図示せず）をさらに備えることができる。バックライトユニット（図示せず）については、現在、様々な構成が提案及び具現されているので、詳細な説明は省略する。
【００４５】
音声処理部３５０は、信号受信部３２０から受信される音声信号／音信号を処理してスピーカー３６０から出力する。音声処理部３５０は、複数チャンネルの音声信号を、各チャンネル別に設けられた複数のスピーカー３６１，３６２，３６３，３６４に対応するように処理し、該当のスピーカー３６１，３６２，３６３，３６４から出力する。
【００４６】
例えば、音声処理部３５０は、スピーカー３６１，３６２，３６３，３６４が３．１チャンネルに対応するように設けられた状態で３．１チャンネルの音声信号が受信されると、当該音声信号を各チャンネルに対応するように処理し、チャンネル別に音声信号を各スピーカー３６１，３６２，３６３，３６４から出力する。もし、スピーカー３６１，３６２，３６３，３６４が３．１チャンネルに対応するように設けられた状態で５．１チャンネルの音声信号が受信されると、５．１チャンネルの音声信号を３．１チャンネルに対応するように再構成して各スピーカー３６１，３６２，３６３，３６４から出力する。
【００４７】
以下、音声処理部３５０が処理する音声信号の音声チャンネルについて図４を参照して説明する。図４は、５．１チャンネル音声信号に対する音像（ｓｏｕｎｄ  ｉｍａｇｅ）内のチャンネルの配置を示す概念図である。この例示では、５．１チャンネルに対応する音声信号の音像について説明するが、音声処理部３５０が処理可能な音声信号のチャンネル数は特定数値に限定されず、この例示に本発明の思想が限定されることはない。
【００４８】
図４に示すように、音像において左右方向軸線Ｘ１及び前後方向軸線Ｙ１が直交する中心に使用者Ｕがいるとする。５．１チャンネル音声信号は、各チャンネル別音声信号として、使用者Ｕを中心にして前方左側チャンネルＦＬ、前方右側チャンネルＦＲ、前方中央チャンネルＦＣ、後方またはサラウンド（ｓｕｒｒｏｕｎｄ）左側チャンネルＢＬ、後方／サラウンド右側チャンネルＢＲ、及び図示していないが、声の低音帯域に対応するウーハー（ｗｏｏｆｅｒ）チャンネルで構成される。
【００４９】
一般に、このような各チャンネルに対応してスピーカーの数が決定され、例えば、５．１チャンネルスピーカーユニットにはウーハーチャンネルを含めて総６個のスピーカーが、３．１チャンネルスピーカーユニットは総４個のスピーカーが設けられる。
【００５０】
ウーハーチャンネルは、音声帯域の特性上、音の出力に対する指向性が相対的に低い。すなわち、ウーハーチャンネルに対応するウーハースピーカーは、その設置位置が、使用者が音を認知する音像に顕著な影響を与えないので、比較的その設置位置を自由にすることができる。
【００５１】
一方、ＦＬ、ＦＲ、ＢＬ、ＢＲなどのチャンネルは、音の高音帯域に対応するツイーター（ｔｗｅｅｔｅｒ）チャンネルを含む。ツイーターチャンネルは、ウーハーチャンネルと違い、音の出力に対する指向性が相対的に高い。すなわち、ツイーターチャンネルに対応するツイータースピーカーは、その設置位置が音像に顕著な影響を及ぼすため、使用者の位置を考慮して設置位置を決定しなければならない。
【００５２】
一方、ＦＣチャンネルは、音の中高音帯域に対応し、ツイーターチャンネルと同様に、音の出力に対する指向性が高い。ＦＣチャンネルは特に、人間の音声の周波数帯域に対応し、音像内における音声の明瞭性において最も重要なパラメータとして作用する。
【００５３】
すなわち、使用者Ｕが音声をより明瞭に認知するためには、同図に示すように、音像内でＦＣチャンネルに対応する声が使用者Ｕの正面に配置される必要がある。これに基づいてディスプレイ装置１にスピーカーを設置するとすれば、ＦＣチャンネルに対応するスピーカーが、ディスプレイ装置１の映像に向き合っている使用者Ｕの正面に配置され、音の出力方向が使用者Ｕを向くように配置しなければならない。このようなＦＣチャンネルに対応するスピーカーをセンター（ｃｅｎｔｅｒ）スピーカーという。
【００５４】
このような思想を反映した本実施例によってディスプレイ装置１で各スピーカーを設置する位置について、図５を参照して以下に説明する。図５は、ディスプレイ装置１において各スピーカー３６１，３６２，３６３，３６４の設置位置を示す正面図である。
【００５５】
同図ではスピーカー３６１，３６２，３６３，３６４が３．１チャンネルに対応して設けられている場合について説明するが、これは一実施例に過ぎない。本発明の思想は、５．１チャンネル、６．１チャンネルなどの様々なチャンネルに対応するように設けられたディスプレイ装置１にも適用可能である。
【００５６】
図５に示すように、使用者がディスプレイ部３４０に表示される映像に向き合っているとする時、カバーフレーム３１０は、使用者に映像を表示するディスプレイ部３４０の映像表示面を中心にして上下左右の四方向にＺ、−Ｚ、−Ｘ、Ｘ方向の縁領域を支持する。
【００５７】
また、カバーフレーム３１０は、Ｚ、−Ｚ、−Ｘ、Ｘ方向の各縁領域において、ディスプレイ部３４０の映像表示面に直交するように延長された、すなわち、Ｘ−Ｚ平面に直交するようにディスプレイ本体３００の前面から後面に向かって延長された４つの側面を有する。例えば、カバーフレーム３１０におけるこれら４つの側面のうち下側面は、ディスプレイ部３４０の映像表示面に直交し、ベース１００に相対する板面である。
【００５８】
本実施例において、ディスプレイ本体３００に設置されるスピーカー３６１，３６２，３６３，３６４は、３．１チャンネルに対応する。この場合、スピーカー３６１，３６２，３６３，３６４は、音の中高音帯域に対応するセンタースピーカーを含む第１スピーカー３６１と、声の高音帯域に対応するツイータースピーカーをそれぞれ含む第２スピーカー３６２及び第３スピーカー３６３と、音の低音帯域に対応するウーハースピーカーを含む第４スピーカー３６４に相当する。
【００５９】
第２スピーカー３６２及び第３スピーカー３６３は、ツイータースピーカーの他、別の周波数帯域に対応する音を出力するように構成されてもよい。
【００６０】
図４と関連して上述したように、センタースピーカーは、人の音声の明瞭性を保障するために、使用者の前面中央に設置されることが好ましい。そのため、第１スピーカー３６１を、カバーフレーム３１０において−Ｚ方向に向かう下側面の中央領域Ｃに、ベース１００に向かって突出するように設置する。もし、図２に示すように、ディスプレイ本体３００がスタンド２００から分離されて壁面に据え付けられる場合に、第１スピーカー３６１の設置位置は、カバーフレーム３１０の下側面において、壁面へのカバーフレーム３１０の据え付けを干渉しない位置とする。
【００６１】
ここで、中央領域Ｃは、カバーフレーム３１０がスタンド２００に装着された場合に、カバーフレーム３１０の下側の縁においてスタンド２００の位置する領域に相当する。すなわち、使用者が映像を正面から見ているとする時、第１スピーカー３６１はスタンド２００の前面を隠すように突出配置される。これで、第１スピーカー３６１はディスプレイ本体３００の中央へ、すなわち、使用者を正面にして音を出力することができる。
【００６２】
第２スピーカー３６２及び第３スピーカー３６３は、カバーフレーム３１０の四方向の縁部のうち左右縁部、すなわち、−Ｘ方向縁領域及びＸ方向縁領域のそれぞれに、音の出力方向が正面となるようにして設置される。第２スピーカー３６２及び第３スピーカー３６３は、音の左右チャンネルにそれぞれ対応するもので、使用者が音を立体的に認知するための音像（図４参照）を形成するように第１スピーカー３６１を基準に左右対称に配置される。
【００６３】
第４スピーカー３６４は、ウーハースピーカーであり、ディスプレイ本体３００の背面または後面に設置することで、ディスプレイ本体３００の前面における所要空間を軽減することができる。
【００６４】
このように、本実施例によれば、ディスプレイ本体３００が図１または図２のように支持されるいずれの場合においても、使用者が認知する音声の明瞭性を保障するように出力音声を提供することができる。
【００６５】
本実施例において、第１スピーカー３６１は、カバーフレーム３１０と一体型にしてもよく、カバーフレーム３１０に対して分離可能なように別体の構成要素としてもよい。
【００６６】
第１スピーカー３６１をバーフレーム３１０と別の構成にした場合に、カバーフレーム３１０に第１スピーカー３６１を結合する構造について、図６及び図７を参照して以下に説明する。
【００６７】
図６は、第１スピーカー３７０及びカバーフレーム３１０の結合構造を例示する要部斜視図である。図６に示すように、本実施例によれば、カバーフレーム３１０においてディスプレイ部３４０の映像表示面に直交する下側面３１１上には、第１スピーカー３７０と結合するスピーカー結合部４１０が設けられている。
【００６８】
第１スピーカー３７０は、スピーカー本体３７１と、スピーカー本体３７１と通電するようにスピーカー本体３７１の上側面に形成されたスピーカー端子部３７２と、スピーカー本体３７１の上側面から突出して形成された少なくとも一つのフック部３７３と、を備える。
【００６９】
一方、スピーカー結合部４１０は、音声処理部３５０（図３参照）に電気的に接続している本体端子部４１１と、第１スピーカー３７０のフック部３７３を収容するように形成されたフック収容部４１２と、を備える。
【００７０】
このような構成下で、使用者は、フック部３７３がフック収容部４１２に収容されるようにして第１スピーカー３７０をスピーカー結合部４１０に装着する。フック部３７３がフック収容部４１２に掛着されることで第１スピーカー３７０はカバーフレーム３１０に結合及び支持される。
【００７１】
この時、スピーカー端子部３７２及び本体端子部４１１が相互接触することによって音声処理部３５０及びスピーカー本体３７１が相互電気的に接続する。スピーカー本体３７１は、音声処理部３５０で処理された音声信号が入力され、且つディスプレイ本体３００から駆動に必要な電源が供給される。これにより、スピーカー本体３７１は、受信した音声信号に対応する音声を出力する。
【００７２】
図７は、第１スピーカー３８０及びカバーフレーム３１０の結合構造を例示する要部斜視図である。図７に示すように、本実施例では、カバーフレーム３１０においてディスプレイ部３４０の映像表示面に直交する下側面３１１上には、第１スピーカー３８０と結合するスピーカー結合部４２０が設けられている。
【００７３】
第１スピーカー３８０は、スピーカー本体３８１と、スピーカー本体３８１と通電するようにスピーカー本体３８１の上側面に設けられているスピーカー端子部３８２と、スピーカー本体３８１の上側面に形成されている少なくとも一つのスピーカー締結孔３８３と、を備える。
【００７４】
一方、スピーカー結合部４２０は、音声処理部３５０（図３参照）に電気的に接続している本体端子部４２１と、第１スピーカー３８０のスピーカー締結孔３８３に対応するように形成された本体締結孔４２２と、を備える。
【００７５】
このような構成下で、使用者はスクリュー５２０をスピーカー締結孔３８３及び本体締結孔４２２に締結し、これで、第１スピーカー３８０がカバーフレーム３１０に結合及び支持される。
【００７６】
この時、スピーカー端子部３８２及び本体端子部４２１が相互接触することで音声処理部３５０及びスピーカー本体３８１が相互電気的に接続する。スピーカー本体３８１は、音声処理部３５０で処理された音声信号が入力され、且つディスプレイ本体３００から駆動に必要な電源が供給される。これにより、スピーカー本体３８１は、受信した音声信号に対応する音声を出力する。
【００７７】
以上説明した構造により、第１スピーカー３７０，３８０をカバーフレーム３１０に結合させることができる。
【００７８】
以上説明した実施例は例示的なものに過ぎず、当該技術の分野における通常の知識を有する者には、様々な変形及び均等な他の実施例が可能であろう。したがって、本発明の真の技術的保護範囲は、添付の特許請求の範囲に記載された発明の技術的思想により定められるべきである。
【符号の説明】
【００７９】
１        ディスプレイ装置
１００    ベース
２００    スタンド
３００    ディスプレイ本体
３１０    カバーフレーム
３２０    信号受信部
３３０    映像処理部
３４０    ディスプレイ部
３５０    音声処理部
３６０    スピーカー
３６１    第１スピーカー
３６２    第２スピーカー
３６３    第３スピーカー
３６４    第４スピーカー
【図１】
2013045103.tif 000003
【図２】
2013045103.tif 000004
【図３】
2013045103.tif 000005
【図４】
2013045103.tif 000006
【図５】
2013045103.tif 000007
【図６】
2013045103.tif 000008
【図７】
2013045103.tif 000009